(57)【要約】【課題】シールが剥離することにより形成された開口から多量の内容物が漏れるような状況が生じにくいパウチを提供する。【解決手段】パウチ１は、内容物を収容可能な収容空間１４と、一対のシート１１、１２の縁１１Ｂ、１２Ｂに沿う第１のサイドシール部２１、および、収容空間１４側に向けて窪んだ形状を有する通蒸シール部３０を含むシール部２０と、一対のシート１１、１２の一部であり、通蒸シール部３０により囲まれたシールされていない部分である未シール部８０とを備える。通蒸シール部３０は、収容空間１４の圧力が上昇した場合に応力集中が生じることにより剥離するように構成された先端部４０と、先端部４０と通蒸シール部３０とを繋げる接続部５０とを含む。接続部５０は先端部４０側から通蒸シール部３０側に向けて進行する通蒸シール部３０の剥離を規制する剥離規制部６１を含む。【選択図】図１
2017218160.tif 000002
【特許請求の範囲】
【請求項１】
重ね合わせられた一対のシートと、
内容物を収容可能な収容空間が前記一対のシートの間に形成されるように前記一対のシートを互いにシールする部分であり、前記一対のシートの縁に沿う第１のシール部、および、前記収容空間側に向けて窪んだ形状を有する第２のシール部を含むシール部と、
前記一対のシートの一部であり、前記第２のシール部により囲まれたシールされていない部分である未シール部とを備え、
前記第２のシール部は、前記内容物から発生した水蒸気により前記収容空間の圧力が上昇した場合に応力集中が生じることにより剥離するように構成された先端部と、前記先端部と前記第１のシール部とを繋げる接続部とを含み、
前記接続部は前記先端部側から前記第１のシール部側に向けて進行する前記第２のシール部の剥離を規制する剥離規制部を含む
パウチ。
【請求項２】
前記剥離規制部は前記先端部よりもシール幅が広い部分を含む
請求項１に記載のパウチ。
【請求項３】
前記先端部側から前記第１のシール部側に向かうにつれて前記剥離規制部のシール幅が広い
請求項２に記載のパウチ。
【請求項４】
前記接続部は前記先端部の一方の端部と前記第１のシール部を構成する第１の端部とを繋げる第１の接続部、および、前記先端部の他方の端部と前記第１のシール部を構成する第２の端部とを繋げる第２の接続部を含み、
前記第１の接続部および前記第２の接続部の一方は前記剥離規制部を含み、
前記第１の接続部および前記第２の接続部の他方は前記剥離規制部を含まない
請求項１〜３のいずれか一項に記載のパウチ。
【請求項５】
前記先端部が前記収容空間の中心を向くように前記第２のシール部が構成されている
請求項１〜４のいずれか一項に記載のパウチ。
【請求項６】
前記収容空間に投入された前記内容物を備える
請求項１〜５のいずれか一項に記載のパウチ。
【発明の詳細な説明】
【技術分野】
【０００１】
本発明は内容物を加熱するために用いられるパウチに関する。
【背景技術】
【０００２】
内容物を加熱するために用いられるパウチが知られている。このパウチには、加熱により内容物から発生した水蒸気をパウチの外部に排出するための構造が設けられる。例えば、特許文献１に記載されるパウチのサイドシール部には、パウチの収容空間側に向けて窪むように形成された窪み部分が設けられている。このパウチが電子レンジ等の加熱手段により加熱された場合、収容空間の内圧の上昇にともない窪み部分のシールが剥離することにより、窪み部分に開口が形成され、水蒸気がその開口を通過してパウチの外部に排出される。
【先行技術文献】
【特許文献】
【０００３】
【特許文献１】ＷＯ２０１３／１３３０９２号公報
【発明の概要】
【発明が解決しようとする課題】
【０００４】
上記パウチの加熱が終了した後にパウチが傾けられた場合、多量の内容物が窪み部分に形成された開口からパウチの外部に漏れるおそれがある。
本発明の目的は、シールが剥離することにより形成された開口から多量の内容物が漏れるような状況が生じにくいパウチを提供することである。
【課題を解決するための手段】
【０００５】
〔１〕本発明に従うパウチの一形態は、重ね合わせられた一対のシートと、内容物を収容可能な収容空間が前記一対のシートの間に形成されるように前記一対のシートを互いにシールする部分であり、前記一対のシートの縁に沿う第１のシール部、および、前記収容空間側に向けて窪んだ形状を有する第２のシール部を含むシール部と、前記一対のシートの一部であり、前記第２のシール部により囲まれたシールされていない部分である未シール部とを備え、前記第２のシール部は、前記内容物から発生した水蒸気により前記収容空間の圧力が上昇した場合に応力集中が生じることにより剥離するように構成された先端部と、前記先端部と前記第１のシール部とを繋げる接続部とを含み、前記接続部は前記先端部側から前記第１のシール部側に向けて進行する前記第２のシール部の剥離を規制する剥離規制部を含む。
【０００６】
上記パウチの収容空間に内容物が投入され、収容空間が閉じられるようにパウチの開口がシールされることにより、閉鎖状態を取るパウチが形成される。閉鎖状態のパウチが加熱されることにより内容物から水蒸気が発生し、収容空間の圧力が上昇する。圧力の上昇にともない第２のシール部の先端部が剥離した場合、先端部に開口が形成される。第２のシール部に剥離規制部が設けられているため、第２のシール部におけるシールの剥離は剥離規制部により規制される。収容空間に滞留している水蒸気は少なくとも先端部に形成された開口、および、未シール部において一対のシートの間に形成される通路を通過し、一対のシートの縁よりも外側に排出される。
【０００７】
上記パウチによれば、このように収容空間の外部に水蒸気が排出されるため破裂しにくい。また、第２のシール部の剥離により第２のシール部に形成される開口の大きさが剥離規制部により規定され、予定された大きさの開口よりも大きな開口が第２のシール部に形成されにくい。このため、パウチの加熱が終了した後にパウチが傾けられても、第２のシール部に形成された開口から多量の内容物が漏れるような状況が生じにくい。また、パウチの加熱が終了したとき、未シール部を構成する各シートの面が水蒸気により互いに密着した状態が形成されやすい。各シートの面が密着している場合、内容物が第２のシール部に形成された開口を通過したとしても、その内容物の移動が密着した未シール部により妨げられ、内容物が一対のシートの縁よりも外側に漏れにくい。
【０００８】
〔２〕前記パウチの一例によれば、前記剥離規制部は前記先端部よりもシール幅が広い部分を含む。
〔３〕前記パウチの一例によれば、前記先端部側から前記第１のシール部側に向かうにつれて前記剥離規制部のシール幅が広い。
【０００９】
〔４〕前記パウチの一例によれば、前記接続部は前記先端部の一方の端部と前記第１のシール部を構成する第１の端部とを繋げる第１の接続部、および、前記先端部の他方の端部と前記第１のシール部を構成する第２の端部とを繋げる第２の接続部を含み、前記第１の接続部および前記第２の接続部の一方は前記剥離規制部を含み、前記第１の接続部および前記第２の接続部の他方は前記剥離規制部を含まない。
【００１０】
〔５〕前記パウチの一例によれば、前記先端部が前記収容空間の中心を向くように前記第２のシール部が構成されている。
〔６〕前記パウチの一例によれば、前記収容空間に投入された前記内容物を備える。
【発明の効果】
【００１１】
上記パウチによれば、シールが剥離することにより形成された開口から多量の内容物が漏れるような状況が生じにくい。
【図面の簡単な説明】
【００１２】
【図１】開放状態を取る実施形態のパウチの正面図。
【図２】閉鎖状態を取る実施形態のパウチの正面図。
【図３】図１および図２の通蒸シール部の拡大図。
【図４】図２のパウチの通蒸シール部の先端部が剥離した状態を示す正面図。
【図５】図４のパウチが傾けられた状態を示す図。
【図６】図５の上部シール部が切り取られている状態を示す図。
【発明を実施するための形態】
【００１３】
（実施形態）
図１および図２はパウチ１の構成の一例を示している。パウチ１の形態はスタンディングパウチである。パウチ１が取り得る状態は、少なくとも開放状態および閉鎖状態を含む。なお、別の例ではパウチ１の形態は平パウチである。図１は開放状態のパウチ１を示し、図２は閉鎖状態のパウチ１を示す。パウチ１の開放状態は、パウチ１内に内容物１００が投入されておらず、パウチ１の開口部１５が開放されている状態である。パウチ１の閉鎖状態は、パウチ１内に内容物１００が投入され、開口部１５がシールされている状態である。内容物１００は例えばソースを含む食品である。一例では、閉鎖状態のパウチ１がエンドユーザーに提供される。
【００１４】
図１に示されるように、パウチ１は第１のシート１１、第２のシート１２、および、ガゼットシート１３を含む。第１のシート１１および第２のシート１２は重ね合わせられた一対のシートである。開放状態のパウチ１には、各シート１１〜１３が互いにシールされたシール部２０が設けられている。なお、図１〜図６に示されるドットは各シート１１〜１３におけるシールされた部分を示している。
【００１５】
各シート１１〜１３は例えば以下のような層構造を有する。
各シート１１〜１３は最外層、中間層、および、最内層を含む。最外層を構成する材料の一例は透明な材料である。透明な材料の一例はポリエチレンテレフタレートである。中間層は印刷層、第１の接着層、延伸ナイロン層、および、第２の接着層を含む。印刷層は最外層の内側に設けられる。一例では印刷層の外面に絵柄および商品説明のテキスト等が印刷される。第１の接着層は印刷層の内側に設けられる。延伸ナイロン層は第１の接着層の内側に設けられる。第２の接着層は延伸ナイロン層の内側に設けられる。各接着層を構成する材料の一例はドライラミネート接着剤である。最内層は第２の接着層の内側に設けられる。最内層を構成する材料の一例は無延伸ポリプロピレンである。
【００１６】
シール部２０は、第１のサイドシール部２１、第２のサイドシール部２２、および、ガゼットシール部２３を含む。第１のサイドシール部２１は、第１のシール部の一例であり、第１のシート１１の一方の側部１１Ａと第２のシート１２の一方の側部１２Ａとが互いにシールされた部分である。第２のサイドシール部２２は、第１のシート１１の他方の側部１１Ｂと第２のシート１２の他方の側部１２Ｂとが互いにシールされた部分である。ガゼットシール部２３は、パウチ１のガゼットシール部２３が構成されるように各シート１１〜１３が互いにシールされた部分である。
【００１７】
各シート１１〜１３がシール部２０によりシールされていることにより、第１のシート１１と第２のシート１２との間に内容物１００を収容可能な収容空間１４が形成されている。開放状態のパウチ１の上部には、収容空間１４を開放する開口部１５が設けられている。収容空間１４に内容物１００が投入され、開口部１５が閉じられるように各シート１１、１２がシールされることにより、図２に示される閉鎖状態のパウチ１が構成される。閉鎖状態のパウチ１のシール部２０は、各シール部２１〜２３に加え、開口部１５を閉じる上部シール部２４をさらに含む。
【００１８】
第２のサイドシール部２２の上部にはノッチ２２Ａが設けられている。パウチ１の上部にはノッチ２２Ａと繋がる切取線（図示略）が設けられている。ノッチ２２Ａから切取線に沿って上部シール部２４を含むパウチ１の一部が切り取られることにより開口部１５が開放され、使用状態のパウチ１が構成される。エンドユーザーは、開放された開口部１５から内容物１００を取り出すことができる。
【００１９】
第１のサイドシール部２１は、上方シール部２１Ａ、下方シール部２１Ｂ、および、通蒸シール部３０を含む。上方シール部２１Ａおよび下方シール部２１Ｂは、各シート１１、１２の縁に沿ってシールされた部分である。通蒸シール部３０は、第２のシール部の一例であり、閉鎖状態のパウチ１が加熱手段により加熱されることにともない内容物１００から発生した水蒸気を収容空間１４の外部に排出するために設けられた部分である。通蒸シール部３０は、上方シール部２１Ａおよび下方シール部２１Ｂのそれぞれと連続し、これらのシール部２１Ａ、２１Ｂとともに第１のシート１１の側部１１Ａおよび第２のシート１２の側部１２Ａをシールしている。
【００２０】
図３は通蒸シール部３０の拡大図である。通蒸シール部３０の形状は各シート１１、１２の外縁１１Ｃ、１２Ｃ側から収容空間１４側に向けて窪んだ形状である。通蒸シール部３０は先端部４０および接続部５０を含む。先端部４０は、閉鎖状態のパウチ１において内容物１００から発生した水蒸気により収容空間１４の圧力が上昇したときに各シート１１、１２において強い応力集中が生じる箇所に設けられている。このため、閉鎖状態のパウチ１の内圧が上昇した場合、通蒸シール部３０のうちの少なくとも先端部４０が剥離し、剥離した部分に収容空間１４と収容空間１４の外部とを繋げる開口３１（図４参照）が形成される。
【００２１】
接続部５０は先端部４０の一方の端部４１と上方シール部２１Ａの端部２５とを繋げる第１の接続部６０、および、先端部４０の他方の端部４２と下方シール部２１Ｂの端部２６とを繋げる第２の接続部７０を含む。
【００２２】
第１の接続部６０は、先端部４０側から上方シール部２１Ａ側に向けて進行する通蒸シール部３０の剥離を規制する剥離規制部６１、および、剥離規制部６１と上方シール部２１Ａとを繋ぐサイド側端部６２を含む。剥離規制部６１は先端部４０側から上方シール部２１Ａ側に向かうにつれて開口部１５側に傾斜している。サイド側端部６２は剥離規制部６１の端部と上方シール部２１Ａとを繋ぎ、剥離規制部６１の端部から上方シール部２１Ａ側に向けて傾斜している。
【００２３】
剥離規制部６１のシール幅ＸＡは先端部４０側から上方シール部２１Ａ側に向かうにつれて広くなる。剥離規制部６１のシール幅ＸＡの最大寸法は収容空間１４の内圧が最も高くなった場合であっても、通蒸シール部３０のうちの剥離規制部６１よりも第１のサイドシール部２１側の部分が剥離しない寸法である。第２の接続部７０はパウチ１の幅方向に伸びている。第２の接続部７０のシール幅ＸＢは一定である。なお、シール幅ＸＡは剥離規制部６１の外縁６１Ａから内縁６１Ｂに下した垂線の寸法であり、シール幅ＸＢは第２の接続部７０の外縁７０Ａから内縁７０Ｂに下した垂線の寸法である。
【００２４】
パウチ１は未シール部８０をさらに含む。未シール部８０は、各シート１１、１２の一部であり、第１のサイドシール部２１の外縁２０Ａに囲まれた部分であり、第１の未シール部８１および第２の未シール部８２を含む。未シール部８０を構成する各シート１１、１２の面はシールされていない。第１の未シール部８１は通蒸シール部３０の窪みに対応する部分であり、通蒸シール部３０の外縁３０Ａに囲まれた部分である。第２の未シール部８２は各シート１１、１２の外縁１１Ｃ、１２Ｃを含む部分であり、上方シール部２１Ａの端部と下方シール部２１Ｂの端部との間に形成された部分である。
【００２５】
エンドユーザーによるパウチ１の使用方法の一例について説明する。
最初に、閉鎖状態のパウチ１が電子レンジ等の加熱手段（図示略）に配置され、加熱手段により加熱される。加熱が終了した後、図５に示されるようにパウチ１がエンドユーザーにより持ち運ばれる。次に、図６に示されるように、ノッチ２２Ａおよび切取線（図示略）に沿って上部シール部２４を含む部分がエンドユーザーにより切り取られ、開口部１５が開放される。次に、内容物１００が開口部１５を介してパウチ１の外部に取り出される。
【００２６】
パウチ１によれば以下のような作用および効果が得られる。
閉鎖状態のパウチ１が加熱手段により加熱されることにより、内容物１００から水蒸気が発生し、収容空間１４の圧力が次第に上昇する。このため、第１のシート１１と第２のシート１２とが互いに離間する方向に膨張し、通蒸シール部３０のうちの先端部４０が剥離して開口３１が形成される。先端部４０が剥離した後、通蒸シール部３０の剥離は第１のサイドシール部２１に向けて進行する。第１の接続部６０に剥離規制部６１が設けられているため、例えば通蒸シール部３０におけるシールの剥離は剥離規制部６１のシール幅ＸＡの最も広い部分で終了する。なお、内容物１００から発生する水蒸気の量が少ない場合、通蒸シール部３０におけるシールの剥離はシール幅ＸＡの最も広い部分よりも先端部４０に近い部分で終了する。
【００２７】
収容空間１４に滞留している水蒸気は少なくとも先端部４０に形成された開口３１、および、未シール部８０において一対のシート１１、１２の間に形成される通路を通過し、各シート１１、１２の外縁１１Ｃ、１２Ｃよりも外側に排出される。このため、パウチ１が破裂しにくい。
【００２８】
通蒸シール部３０の剥離により通蒸シール部３０に形成される開口３１の大きさが剥離規制部６１により規定され、予定された大きさの開口３１よりも大きな開口が通蒸シール部３０に形成されにくい。このため、パウチ１の加熱が終了した後にパウチ１が傾けられても、通蒸シール部３０に形成された開口３１から多量の内容物１００が漏れるような状況が生じにくい。また、パウチ１の加熱が終了したとき、未シール部８０を構成する各シート１１、１２の面が水蒸気により互いに密着している。このため、内容物１００が通蒸シール部３０に形成された開口３１を通過したとしても、その内容物１００の移動が密着した未シール部８０により妨げられ、内容物１００が各シート１１、１２の外縁１１Ｃ、１２Ｃよりも外側に漏れにくい。
【００２９】
また、剥離規制部６１のシール幅ＸＡは、先端部４０側から上方シール部２１Ａ側に向かうにつれて次第に広がる。このため、剥離規制部６１の剥離が進行する過程において、剥離規制部６１に局部的に応力集中が生じにくく、剥離規制部６１により剥離が規制されるまで安定して剥離が進行する。
【００３０】
また、サイド側端部６２は剥離規制部６１の端部から上方シール部２１Ａ側に向けて傾斜しているため、第１のシート１１および第２のシート１２のうちの通蒸シール部３０よりも上方に切取線等を形成するための領域を広く確保することができる。
【００３１】
（変形例）
上記実施形態に関する説明は本発明に従うパウチが取り得る形態の例示であり、その形態を制限することを意図していない。本発明に従うパウチは例えば以下に示される上記実施形態の変形例、および、相互に矛盾しない少なくとも２つの変形例が組み合わせられた形態を取り得る。
【００３２】
・通蒸シール部３０の形状は任意に変更可能である。第１の例では、第１の接続部６０からサイド側端部６２が省略され、剥離規制部６１が上方シール部２１Ａと繋がる。剥離規制部６１のシール幅ＸＡは先端部４０側から上方シール部２１Ａ側に向かうにつれて広くなる。第２の例では、先端部４０と剥離規制部６１との間に剥離規制部６１とは形状が異なるシール部が設けられる。そのシール部の形状は、例えばシール幅が一定の形状、または、先端部４０から剥離規制部６１に向かうにつれてシール幅が狭くなる形状である。第３の例では、第１の接続部６０に加えて、第２の接続部７０にも剥離規制部が設けられる。第２の接続部７０の剥離規制部は、例えば第１の接続部６０の剥離規制部６１の形状に準じた形状を有する。第４の例では、第２の接続部７０だけに剥離規制部が設けられる。
【００３３】
・各シート１１〜１３の構成は任意に変更可能である。第１の例では、１枚のシートが折り曲げられることにより第１のシート１１および第２のシート１２が構成される。第２の例では、１枚のシートが折り曲げられることにより各シート１１〜１３が構成される。
【符号の説明】
【００３４】
１  ：パウチ
１１：第１のシート
１２：第２のシート
１４：収容空間
２０：シール部
２１：第１のサイドシール部（第１のシール部）
２５：端部（第１の端部）
２６：端部（第２の端部）
３０：通蒸シール部（第２のシール部）
４０：先端部
４１：端部（一方の端部）
４２：端部（他方の端部）
５０：接続部
６０：第１の接続部
６１：剥離規制部
７０：第２の接続部
８０：未シール部
１００：内容物
【図１】
2017218160.tif 000003
【図２】
2017218160.tif 000004
【図３】
2017218160.tif 000005
【図４】
2017218160.tif 000006
【図５】
2017218160.tif 000007
【図６】
2017218160.tif 000008